(57)【特許請求の範囲】
【請求項１】
扉部材によって閉止される車体開口部の近傍に一端側が取り付けられ、扉部材を開ける際に車体外方側に回動し、扉部材を閉じる際に車体内方側に回動するリンク部材を有するリンク機構と、
上記扉部材に設けられて車両の前後方向に延びるレール部材と、
上記リンク機構の他端側に設けられて上記レール部材を上記前後方向に摺動可能に支持するガイド部材と、
ロック機構とを具備し、
該ロック機構は、
上記扉部材に設けられたストライカと、
上記リンク機構に設けられ、カム面を有するカム部材と、
上記扉部材に設けられ、上記ストライカと噛合するロック位置と上記ストライカを解放する解除位置とにわたって回動可能なラッチ部材とを有し、
上記ラッチ部材は、上記リンク機構が作動して上記扉部材が閉止状態から車体外方側へ移動する間は上記ストライカに噛合しかつ上記カム面に接することにより上記扉部材と上記ガイド部材とを係止し、上記扉部材が上記車体外方側へ移動した後は、上記カム部材の段差部に当接しかつ上記ストライカとの噛合が解除されて上記扉部材と上記ガイド部材との係止状態を解除し、
上記扉部材を閉じる際には、上記ラッチ部材が上記ストライカに噛合して上記ロック位置に回動しかつ上記カム面に乗り上げることにより上記ラッチ部材が上記ロック位置に保持され、かつ、該ラッチ部材と上記段差部との係合が解除されることを特徴とする車両用スライド扉装置。
【請求項２】
上記リンク機構の一端側は、上記車体開口部近傍の車体前方側の部位に取付けられ、
上記扉部材は、後席用の扉部材を有する車両の前席用の扉部材であり、
上記ロック機構の係止状態が解除されたのち上記扉部材が車体前方側へ移動するよう設けられていることを特徴とする請求項１記載の車両用スライド扉装置。
【請求項３】
上記リンク機構は、ヒンジ式開閉扉を装備する車両のドアヒンジに代えて取付け可能な構成であることを特徴とする請求項１に記載の車両用スライド扉装置。
【発明の詳細な説明】
【０００１】
【発明の属する技術分野】
この発明は、自動車等の車両に装備される車両用スライド扉装置に関する。
【０００２】
【従来の技術】
自動車の前席用の車体開口部に設ける扉部材（フロントドア）は、通常はドアヒンジによって車体に回動自在に支持されている。一方、後席用扉部材を有する車両の後席用の車体開口部には、ヒンジ式開閉扉以外に、スライド扉装置が採用されることもある。
【０００３】
【発明が解決しようとする課題】
ヒンジ式開閉扉は、全開時の乗降開口幅がドアヒンジの最大回転角度に左右され、全開時でも扉の開き角度は７５°〜８０°前後が限度である。このためヒンジ式開閉扉は、例えば車椅子等を車内に搬入あるいは搬出したりするときに、乗降開口幅が不足することがある。またヒンジ式開閉扉は、道路上で開閉する場合に、交通の状況によっては扉部材の開閉に十分に注意する必要がある。
【０００４】
一方、スライド扉装置は、ヒンジ式開閉扉と比べて乗降開口幅を大きくとることができ、しかも狭い駐車場や道路上で開閉する際にも支障が少ない。しかしスライド扉装置は、車両の上部と下部と上下方向中間部にそれぞれレール部材とスライダー部材を設ける必要があり、装置全体が大掛かりとなるため、専用の車体が必要となる。また従来のスライド扉装置は、その構造上、前席用の車体開口部に適用することが難しかった。
【０００５】
従ってこの発明の目的は、ヒンジ式開閉扉と比較して乗降開口幅を広くとることができ、前席側に使用することも可能な車両用スライド扉装置を提供することにある。
【０００６】
【課題を解決するための手段】
本発明のスライド扉装置は、請求項１に記載したように、扉部材によって閉止される車体開口部の近傍に一端側が取り付けられ、扉部材を開ける際に車体外方側に回動し、扉部材を閉じる際に車体内方側に回動するリンク部材を有するリンク機構と、上記扉部材に設けられて車両の前後方向に延びるレール部材と、上記リンク機構の他端側に設けられて上記レール部材を上記前後方向に摺動可能に支持するガイド部材と、ロック機構とを具備している。該ロック機構は、上記扉部材に設けられたストライカと、上記リンク機構に設けられ、カム面を有するカム部材と、上記扉部材に設けられ、上記ストライカと噛合するロック位置と上記ストライカを解放する解除位置とにわたって回動可能なラッチ部材とを有し、上記ラッチ部材は、上記リンク機構が作動して上記扉部材が閉止状態から車体外方側へ移動する間は上記ストライカに噛合しかつ上記カム面に接することにより上記扉部材と上記ガイド部材とを係止し、上記扉部材が上記車体外方側へ移動した後は、上記カム部材の段差部に当接しかつ上記ストライカとの噛合が解除されて上記扉部材と上記ガイド部材との係止状態を解除し、上記扉部材を閉じる際には、上記ラッチ部材が上記ストライカに噛合して上記ロック位置に回動しかつ上記カム面に乗り上げることにより上記ラッチ部材が上記ロック位置に保持され、かつ、該ラッチ部材と上記段差部との係合が解除されて上記リンク機構が車体内方側に回動可能となることを特徴とするものである。
【０００７】
この発明の好ましい形態では、上記リンク機構の一端側は、上記車体開口部近傍の車体前方側の部位に取付けられる。この形態の扉部材は、後席用の扉部材を有する車両の前席用扉部材であり、上記ロック機構の係止状態が解除されたのち車体前方側へ移動するよう設けられる。この形態の前席用扉部材は、開扉時に前方にスライドするため、前席用扉部材によって後席用開口部が塞がれてしまうことがなく、前席用扉部材の開扉時でも、後席への乗降を問題なく行うことができる。
【０００８】
上記リンク機構の一例は、車体側のピラー部等に固定される固定側ベース部材と、扉部材側に固定される可動側ベース部材と、これら固定側ベース部材と可動側ベース部材との間に掛け渡されて平行リンク機構を構成する一対のリンク部材とを有している。このような平行リンク機構を採用することにより、閉扉時と開扉時とでガイド部材が同じ姿勢を保つことができる。
【０００９】
【発明の実施の形態】
以下に本発明の一実施形態について、図１から図５を参照して説明する。
図１に示す車両１０は、車体１１の側面に形成された前席用の車体開口部１２と、後席用の車体開口部１３とを有している。前席用の車体開口部１２に、本発明に係る車両用スライド扉装置１４が設けられている。このスライド扉装置１４は、車体開口部１２を閉止する扉部材１５を備えている。後席用の車体開口部１３にはヒンジ式開閉扉１６が装着されている。
【００１０】
以下にスライド扉装置１４について説明する。
図２と図３に示されるようにスライド扉装置１４は、リンク機構２０と、レール部材２１と、ガイド部材２２と、ロック機構２３などを含んでいる。
【００１１】
リンク機構２０は、車体１１側のフロントピラー部３０に固定される固定側ベース部材３１と、扉部材１５側に設ける可動側ベース部材３２と、これらベース部材３１，３２間に掛け渡されて平行リンク機構を構成する一対のリンク部材３３，３４とを有している。
【００１２】
固定側ベース部材３１とリンク部材３３，３４は、上下方向に延びる軸部材３５，３６によってそれぞれ回動自在に連結されている。可動側ベース部材３２とリンク部材３３，３４は、上下方向に延びる軸部材３７，３８によってそれぞれ回動自在に連結されている。
【００１３】
リンク機構２０の一端側に位置する固定側ベース部材３１は、車体開口部１２の前方側に位置するフロントピラー部３０の下部、すなわち従来の上下一対のドアヒンジのうち下部側のドアヒンジに相当する位置に、ボルト４１（一部のみ図示する）によって固定されている。リンク機構２０の他端側に位置する可動側ベース部材３２に、ガイド部材２２が取付けられている。このような平行リンク機構２０を構成することにより、リンク部材３３，３４の回動位置にかかわらず、ガイド部材２２が常に同じ姿勢を保つことができる。
【００１４】
ガイド部材２２は、レール部材２１を車両１０の前後方向に摺動可能に支持する機能を有し、ガイド部材２２とレール部材２１とによって、リニヤガイド機構４２が構成されている。レール部材２１は、車両１０の前後方向に延びるよう、ボルト４３によって扉部材１５の内側面に固定されている。
【００１５】
ガイド部材２２の内部に少なくとも２系統の無限軌道溝（図示せず）が形成され、これら無限軌道溝内に多数のローラ（図示せず）が収容されている。レール部材２１とガイド部材２２が相対的に直線運動するとき、上記ローラが上記無限軌道溝内を循環することにより、レール部材２１とガイド部材２２が円滑に相対移動できる。このリニヤガイド機構４２は、扉部材１５の重量を支えることのできる剛性を有している。
【００１６】
ロック機構２３は、以下に詳しく説明するように、扉部材１５が閉止状態から車体外方側に移動する間は扉部材１５とガイド部材２２との係止状態を維持し、扉部材１５が車体外方側に移動したのちは、扉部材１５とガイド部材２２との係止状態を解除するようになっている。
【００１７】
ロック機構２３は、可動側ベース部材３２に設けたラッチ部材５０と、扉部材１５に設けたストライカ５１と、ねじりばね等を用いた弾性部材５２と、一方のリンク部材３３に設けたカム部材５３とを含んでいる。ストライカ５１は、扉部材１５の内側面に固定されている。ストライカ５１の近傍に、緩衝部材を兼ねるストッパ５４が設けられている。
【００１８】
ラッチ部材５０の外周部には、ストライカ５１と噛合可能なロック用凹部６０と、カム部材５３に接するカム受け面６１とが形成されている。ラッチ部材５０は軸６２を中心に回動自在であり、図３に示すようにロック用凹部６０がストライカ５１と噛合するロック位置と、図５に示すようにロック用凹部６０とストライカ５１との噛合が解除されるロック解除位置とにわたって回動することができる。
【００１９】
弾性部材５２は、ラッチ部材５０とストライカ５１との噛合を解除する方向、すなわち上記ロック解除位置に向かって、ラッチ部材５０を常時付勢している。
【００２０】
カム部材５３は、円弧状のカム面６５と、カム面６５の端に形成された段差部６６とを有している。扉部材１５が閉止状態から車体外方側に移動する間は、図３と図４に示すようにカム面６５がラッチ部材５０のカム受け面６１に接し、扉部材１５が車体外方側に完全に移動したのちは、図５に示すようにラッチ部材５０が弾性部材５２の弾力によって、矢印Ｒ１で示すロック解除方向に回動するとともに、ラッチ部材５０の端面６７が段差部６６に当接するようになっている。
【００２１】
次に上記構成のスライド扉装置１４の機能について説明する。
扉部材１５が車体開口部１２に対して閉止状態にあるとき、扉部材１５に設けられている周知のドアロック機構（図示せず）が車体１１側のストライカ（図示せず）に噛合うことによって、扉部材１５が閉止状態に保たれている。
【００２２】
この閉止状態のときには、図３に示すようにリンク部材３３，３４が車体内方側に回動しており、かつ、ラッチ部材５０がストライカ５１と噛合している。このときラッチ部材５０はカム部材５３によってロック解除方向に回動することが阻止されているため、上記ロック状態が維持されている。
【００２３】
扉部材１５を上記閉止状態から車体外方側に移動させると、図４に示すようにリンク部材３３，３４が車体外方側に回動するとともに、ガイド部材２２が車体外方に向かって平行移動してゆく。このときもラッチ部材５０は、カム部材５３によって回動することが阻止され、ストライカ５１と噛合したロック状態が維持されている。したがって扉部材１５が閉止状態から車体外方側に移動する間は、扉部材１５とガイド部材２２との係止状態が維持され、扉部材１５とガイド部材２２との位置関係は変わらない。
【００２４】
扉部材１５が車体外方側に完全に移動したのちは、図５に示すように、カム部材５３のカム面６５がラッチ部材５０のカム受け面６１から外れる。このとき、弾性部材５２の弾力によってラッチ部材５０が矢印Ｒ１で示すロック解除方向に回動することにより、ラッチ部材５０の端面６７が段差部６６に当接する。
【００２５】
このためラッチ部材５０とストライカ５１との噛合が解除され、ガイド部材２２に対してレール部材２１が車体前方側に移動できるようになる。なお、リンク部材３４が車両外方側にいっぱいに回動すると、緩衝部材を兼ねたストッパ６８にリンク部材３４が当接し、それ以上の回動が阻止される。
【００２６】
上記のように扉部材１５を車両外方側に完全に引き出したのち、扉部材１５を車体前方に移動させる。例えば図１に示すように扉部材１５を車体前方にいっぱいにスライドさせれば、従来のヒンジ式開閉扉と比較して乗降開口幅Ｗを広くとることができ、車椅子７０なども乗降させることが可能となる。
【００２７】
このスライド扉装置１４の扉部材１５は、ヒンジ式開閉扉と比較して、開扉時の車体側方への突出量がきわめて少ないため、狭い駐車場でも全開位置まで開扉させることができ、また、道路上で開閉する必要が生じた場合に、車体側方への突出量が小さいため安全に開扉することができる。
【００２８】
扉部材１５を閉じるときには、リンク機構２０とロック機構２３が上記の開扉時とは逆方向に作動する。すなわち、扉部材１５を開扉位置から車体後方側に移動させると、ストライカ５１がラッチ部材５０に噛合するとともに、ラッチ部材５０が図５に矢印Ｒ２で示すロック方向に回動する。そしてカム受け面６１がカム部材５３のカム面６５に乗り上げることにより、ラッチ部材５０がロック位置に保持される。
【００２９】
そののち扉部材１５を車両内方側に押し込むと、図４に示す状態を経て、図３に示す閉扉状態に戻る。閉扉状態では、扉部材１５に設けられている周知のドアロック機構（図示せず）が車体１１側のストライカ（図示せず）に噛合うことによって、閉扉状態が保持される。
【００３０】
上記スライド扉装置１４のリンク機構２０は、通常のヒンジ式開閉扉を装備する車両のドアヒンジに代えて取付けることができる。この場合、通常のヒンジ式開閉扉を使用する車両から低コストでスライド扉装置付きの車両へと改造することができ、例えば下肢障害者用の車両を低コストで提供することが可能となる。
【００３１】
【発明の効果】
請求項１に記載した発明によれば、簡便な構造でありながら乗降開口幅を広くとることが可能なスライド扉装置を提供することができる。
請求項２に記載した発明によれば、後席用の扉部材を有する車両において、前席用開口部にスライド扉装置を設けた場合に、前席用の扉部材が開扉されても後席用の車体開口部が塞がれてしまうことがない。そしてこの発明によれば前席用の乗降開口幅をより広くとることが可能となる。
【図面の簡単な説明】
【図１】  本発明の一実施形態を示す車両用スライド扉装置を備えた車両の一部の側面図。
【図２】  図１に示された車両用スライド扉装置の一部の斜視図。
【図３】  図１に示された車両用スライド扉装置の扉部材を閉めた状態を示す横断面図。
【図４】  図１に示された車両用スライド扉装置の扉部材を車体外方側に移動させる途中の状態を示す横断面図。
【図５】  図１に示された車両用スライド扉装置の扉部材を開扉方向にスライドさせた状態を示す横断面図。
【符号の説明】
１１…車体
１２…車体開口部
１４…スライド扉装置
１５…扉部材
２０…リンク機構
２１…レール部材
２２…ガイド部材
２３…ロック機構
【図１】
0003742016.tif 000002
【図２】
0003742016.tif 000003
【図３】
0003742016.tif 000004
【図４】
0003742016.tif 000005
【図５】
0003742016.tif 000006